(57)【要約】【課題】コンセントタップに差し込むだけで、地震を検出した後に主幹ブレーカを遮断することができ、しかも振動を検出した後に構造物に損傷がないことが確認できたような場合には、主幹ブレーカが遮断されることを阻止することができるコンセント差込型感震器を提供する。【解決手段】本発明のコンセント差込型感震器は、電路のコンセントタップに差し込まれる差込プラグ１１と、接地されたアース端子に接続するアース端子接続部と、地震を検出したとき判定回路１４に検出情報を出力する感震センサ１３と、この検出情報により震度を判定する判定回路１４と、判定回路１４からの出力信号により漏電を発生させる漏電発生部１５と、漏電発生部１５の動作を無効化するリセット手段とを備えたものである。【選択図】図２
2015170587.tif 000002
【特許請求の範囲】
【請求項１】
電路のコンセントタップに差し込まれる差込プラグと、接地されたアース端子に接続するアース端子接続部と、地震を検出したとき判定回路に検出情報を出力する感震センサと、この検出情報により震度を判定する判定回路と、判定回路からの出力信号により漏電を発生させる漏電発生部と、漏電発生部の動作を無効化するリセット手段とを備えたことを特徴とするコンセント差込型感震器。
【請求項２】
感震器の動作を確認する動作確認手段を備えたことを特徴とする請求項１記載のコンセント差込型感震器。
【請求項３】
電路が停電中、前記検出情報を記憶する記憶部を備え、判定回路は復電時に記憶部から検出情報を読み出して震度を判定することを特徴とする請求項１または２に記載のコンセント差込型感震器。 
【請求項４】
コンセントタップへの差込み・取外しを検出する差込検出手段を備え、差込検出後所定時間経過後に判定回路を機能させることを特徴とする請求項１記載のコンセント差込型感震器。
【請求項５】
コンセントタップへの差込み・取外しを検出する差込検出手段を差込プラグ側に設け、コンセントタップからの取外しが検出されたとき記憶部の検出情報を無効化することを特徴とする請求項３記載のコンセント差込型感震器。
【発明の詳細な説明】
【技術分野】
【０００１】
本発明は、地震発生時に電路を遮断するために使用されるコンセント差込型感震器に関するものである。
【背景技術】
【０００２】
地震発生時の家屋の損壊に伴って発生する漏電火災や感電事故を防止するために、所定震度以上の地震が検出されたときには、負荷への給電を停止することが望まれる。
【０００３】
この要望に応えるために、特許文献１には分電盤の内部に感震器を設置し、地震を検出した後、避難のための所定時間（例えば３分）を経過したときに主幹ブレーカを遮断する技術が提案されている。また復電時にも一定条件で主幹ブレーカを遮断するようになっている。
【０００４】
しかし、このように感震器を分電盤に組み込むには電気工事士などの資格が必要であり、一般の人が作業することはできない。また感震器が動作したか否かを確認するためには分電盤まで行かねばならず、手元での確認はできないという問題があった。
【０００５】
そこで特許文献２のように、コンセント差込型の感震器が提案されている。このコンセント差込型感震器は手元のコンセントタップに差し込んで使用することができるので、電気工事士などの資格は不要であり、手元での確認も容易である。
【０００６】
しかしこのコンセント差込型感震器に不意の外力が加えられて振動した場合や、地震が発生したが構造物に損傷がないことが確認できたような場合にも、特許文献２の構造ではその後に主幹ブレーカが遮断されることを阻止することができない。またコンセント差込型感震器をコンセントタップから取り外したときにも感震センサが揺れを記憶するので、再度コンセントタップに差し込んだ時に、誤動作する可能性が残されていた。
【先行技術文献】
【特許文献】
【０００７】
【特許文献１】特開平０９−２３３６２３公報
【特許文献２】実用新案登録第３０１６４７４号公報
【発明の概要】
【発明が解決しようとする課題】
【０００８】
従って本発明の目的は上記した従来の問題点を解決し、コンセントタップに差し込むだけで、地震を検出した後に主幹ブレーカを遮断することができ、しかも振動を検出した後に構造物に損傷がないことが確認できたような場合には、主幹ブレーカが遮断されることを防止することができるコンセント差込型感震器を提供することである。
【課題を解決するための手段】
【０００９】
上記の課題を解決するためになされた本発明のコンセント差込型感震器は、電路のコンセントタップに差し込まれる差込プラグと、接地されたアース端子に接続するアース端子接続部と、地震を検出したとき判定回路に検出情報を出力する感震センサと、この検出情報により震度を判定する判定回路と、判定回路からの出力信号により漏電を発生させる漏電発生部と、漏電発生部の動作を無効化するリセット手段とを備えたことを特徴とするものである。
【００１０】
なお請求項２のように、感震器の動作を確認する動作確認手段を備えることが好ましく、また請求項３のように、電路が停電中、前記検出情報を記憶する記憶部を備え、判定回路は復電時に記憶部から検出情報を読み出して震度を判定することが好ましい。
【００１１】
また請求項４のように、コンセントタップへの差込み・取外しを検出する差込検出手段を備え、差込検出後所定時間経過後に判定回路を機能させることが好ましく、請求項５のように、コンセントタップへの差込み・取外しを検出する差込検出手段を差込プラグ側に設け、コンセントタップからの取外しが検出されたとき記憶部の検出情報を無効化することが好ましい。さらに請求項６のように、筐体にコンセントタップを設けた構造とすることが好ましい。
【発明の効果】
【００１２】
本発明のコンセント差込型感震器は、電路のコンセントタップに差し込んで使用されるものであり、感震センサが振動を検出すると、判定回路が震度を判定し、所定震度以上である場合には所定時間後に漏電発生部が漏電を発生させる。分電盤の主幹開閉器は漏電検出機能を備えた漏電ブレーカであるので、主幹開閉器は直ちに電路を遮断し、地震発生後の漏電火災や感電事故を防止することができる。このように本発明によれば、特許文献１のように感震器を分電盤に組み込む必要がないため、電気工事士などの資格は不要であり、手元での作動状態の確認も容易である。
【００１３】
また本発明のコンセント差込型感震器は、漏電発生部の動作を無効化するリセット手段を備えているので、振動を検出した後に構造物に損傷がないことが確認できたような場合には、主幹ブレーカが遮断されることを阻止することができる。
【００１４】
なお請求項４、５のようにコンセントタップへの差込み・取外しを検出する差込検出手段を設けておけば、コンセントタップへの差込み・取外し時の振動を地震振動と誤認するトラブルを防止することができ、復電時や再接続時に誤動作することがない。
【図面の簡単な説明】
【００１５】
【図１】本発明のコンセント差込型感震器の使用状態の説明図である。
【図２】実施形態のコンセント差込型感震器の外観図斜視である。
【図３】実施形態のコンセント差込型感震器の概念的な側面図である
【図４】実施形態のコンセント差込型感震器の内部構成の説明図である。
【図５】漏電発生部の回路図である。
【発明を実施するための形態】
【００１６】
以下に本発明の実施形態を説明する。
図１において、１は一般住宅等の構造物に設置されている分電盤、２は主幹ブレーカである漏電ブレーカ、３はその二次側に多数接続された分岐ブレーカである。各分岐ブレーカ３には図示を略した各種の負荷に給電するための電路４が接続されており、図１ではその電路４の一つに本発明のコンセント差込型感震器が接続されている。なお差込まれる電路４は特定されるものではなく、どの電路でも差し支えない。
【００１７】
図２、図３に実施形態のコンセント差込型感震器の外観を示し、図４にその内部構成を示す。
【００１８】
図３において、１０はコンセント差込型感震器の筐体、１１は電路４のコンセントタップ（図示せず）に差し込まれる差込プラグである。この差込プラグ１１は電源プラグとしての機能を有するものである。１２はアース端子接続部として筐体１０に設けたアースプラグであり、構造物のコンセントタップに設けられ、接地されたアース端子２６に接続されるが、コンセントタップにアースプラグ１２に対応するアース端子がない場合には、図２のようにアース端子接続部をアース線２４として筐体１０の側面から引出して別途アース端子に接続してもよい。何れにせよ、確実に接地しておくことが必要である。
【００１９】
図４に示すように、筐体１０の内部には感震センサ１３、判定回路１４、漏電発生部１５、記憶部１６、バッテリ１７などが設けられている。また筐体１０の表面側には、表示部１８、リセットボタン１９、テストボタン２０、切替スイッチ２１などが設けられている。さらに筐体１０の裏面側には、上記した差込プラグ１１、アースプラグ１２のほか、差込プラグ１１がコンセントタップに差し込まれたこと及びコンセントタップから取り外されたことを検出する差込検出手段２２が設けられている。
【００２０】
感震センサ１３は地震の揺れを検出し、判定回路１４に検出情報を出力する機能を有するもので、それ自体は公知である。判定回路１４は感震センサ１３からの検出情報により震度を判定し、その後の動作を決定する。すなわち、第１レベル以上（例えば震度５以上）の揺れであると判定した場合には、所定時間（例えば３分後）に漏電発生部１５に出力信号を送る。しかし第２レベル以上（例えば震度６以上）の揺れと判定した場合には、直ちに漏電発生部１５に出力信号を送るものとしてもよい。なお、表示部１８は地震が発生したことや、間もなく電源が遮断される旨をランプ点滅や音声によって表示、警告する。
【００２１】
漏電発生部１５は図５に示す回路を備えたもので、一次的に擬似的な漏電を発生させる機能を有する。これにより交流の相間バランスが崩れるため、漏電検出機能を有する分電盤１の主幹ブレーカ２が漏電を検出し、電路を遮断する。主幹ブレーカ２は漏電を検出すると直ちに回路を遮断するため、上記のように、判定回路１４が漏電発生部１５に信号を出力するタイミングを制御する必要がある。
【００２２】
なお、感震センサ１３から出力された検出情報は記憶部１６に記憶される。これは判定回路１４が漏電発生部１５に出力信号を送る前に、停電が発生したときには主幹ブレーカ２を動作させることができず、その後に復電した際に記憶されている検出情報に基づいて震度を判定し、主幹ブレーカ２を動作させるためである。従って判定回路１４が漏電発生部１５に出力信号を送るとその必要がなくなるため、この記憶はクリアされる。
【００２３】
このほか、地震波が到達する前に電力会社が送電を停止して停電するケースがある。このような事態に対応するために、停電発生後の所定時間（例えば８秒後）内に感震センサ１３が揺れを検出した場合にも記憶部１６に記憶させ、復電時に主幹ブレーカ２を動作させるようにすることが好ましい。停電中にも記憶を維持させておくためには、不揮発性メモリを用いることが好ましい。なおバッテリ１７は、停電中にも各素子に所定時間の給電ができるようにするためのものである。
【００２４】
上記した判定回路１４の動作を整理すると、次の通りである。
停電を伴わない通常の場合には、判定回路１４が第１レベル以上の揺れであると判定すると、所定時間に漏電発生部１５に出力信号を送り、第２レベル以上の揺れと判定した場合には、直ちに漏電発生部１５に出力信号を送る。これにより主幹ブレーカ２が動作して給電を停止する。
【００２５】
地震発生後、３分以内に停電した場合には、主幹ブレーカ２はオンの状態のままである。このため復電時に判定回路１４が記憶部１６の記憶を読み込み震度を判定し、第１レベル以上の検出情報が記憶されている場合には、復電直後に漏電発生部１５に出力信号を送り、主幹ブレーカ２を動作させる。
【００２６】
停電発生後、所定時間内に地震が発生した場合にも、復電時に判定回路１４が記憶部１６の記憶を読み込み、第１レベル以上の検出情報が記憶されている場合には、復電直後に漏電発生部１５に出力信号を送り、主幹ブレーカ２を動作させる。
【００２７】
なお、復電時に記憶部に記憶された検出情報に基づく上記の２つの動作は、切替スイッチ２１により選択できるようにしておくこともできる。すなわち、両方とも有効、片方のみ有効、両方とも無効を選択可能としてもよい。
【００２８】
リセットボタン１９は判定回路１４に組み込まれたリセット手段を作動させ、漏電発生部１５の動作を無効化するためのボタンである。地震が検出され、表示部１８が間もなく電源が遮断される旨を表示しているが、実際には構造物に損傷がないような場合には、電源を遮断する必要がない。このような場合にはリセットボタン１９を押してリセット手段を作動させると、判定回路１４は漏電発生部１５に出力信号を送ることを中止する。このほか、筐体１０に意図せぬ衝撃を加えてしまったような場合にも、地震による揺れと判断して誤動作する可能性があるが、リセットボタン１９を押すことによって電源が遮断される事態を回避することができる。
【００２９】
テストボタン２０は動作確認手段を構成するボタンであり、押されたときに漏電発生部１５に信号を送り、疑似的な漏電を発生させる。これにより、主幹ブレーカ２が確実に動作することを確認することができる。なお主幹ブレーカ２が動作しない原因としては、アースプラグ１２が接地されていないために主幹ブレーカ２が漏電を検出できないことと、主幹ブレーカ２の漏電検出機能自体の劣化を挙げることができる。
【００３０】
差込検出手段２２は必須の構成ではないが、以下に説明する機能を発揮する。差込検出手段２２は、差込プラグ１１がコンセントタップに差し込まれたことを機械的に検出するものであり、差込み検出後に所定時間が経過してから判定回路１４の機能を有効化する。これによってコンセントタップへの差込み時の振動を地震の揺れと誤認することによる誤動作を防止することができる。また、差込プラグ１１がコンセントタップから取り外されたことを差込検出手段２２が検出した場合に記憶部の検出情報を無効化するようにしておけば、再度差込みを行なった場合の誤動作（復電と誤認することによる電源遮断）を防止することができる。なお、インターロック解除ボタンを押圧しないと差込プラグ１１をコンセントタップから取り外すことができない構造とした場合には、インターロック解除ボタンの押圧により記憶部１６も検出情報を消去するようにしてもよい。
【００３１】
以下に、その他の付加的な機能について説明する。
判定回路１４には、アース接続判定機能を持たせておくことが好ましい。すなわち、差込検出手段２２による差込み検出後、または差込プラグ１１の端子間で電圧を検出した後に、アースプラグ１２と差込プラグ１１との間で電位差を検出し、１００Ｖであれば接地が正しく接続されていると判定するが、０Ｖであれば非接続と判定する。接地が正しく接続されていないと漏電発生部１５が正しく動作しても擬似漏電が発生せず主幹ブレーカ２を遮断させることができないので、表示部１８にその旨を表示し、アースプラグ１２を正しく接続するように警告する。
【００３２】
なお、筐体１０に増設用コンセントタップ２３を設けておけば、感震器の取付けによって既存のコンセントが塞がることを回避できる。
【００３３】
以上に説明したように、本発明のコンセント差込型感震器を用いれば、電路のコンセントタップに差し込むだけで、地震を検出した後に主幹ブレーカ２を遮断することができ、しかも振動を検出した後に構造物に損傷がないことが確認できたような場合には、リセットボタン１９を押圧することによって、主幹ブレーカ２が遮断されることを事前に阻止することができる。
【符号の説明】
【００３４】
１  分電盤
２  主幹ブレーカ（漏電ブレーカ）
３  分岐ブレーカ
４  電路
１０  筐体
１１  差込プラグ
１２  アースプラグ（アース端子接続部）
１３  感震センサ
１４  判定回路
１５  漏電発生部
１６  記憶部
１７  バッテリ
１８  表示部
１９  リセットボタン
２０  テストボタン
２１  切替スイッチ
２２  差込検出手段
２３  増設用コンセントタップ
２４  アース線（アース端子接続部）
２５  コンセントタップ
２６  アース端子
【図１】
2015170587.tif 000003
【図２】
2015170587.tif 000004
【図３】
2015170587.tif 000005
【図４】
2015170587.tif 000006
【図５】
2015170587.tif 000007